(57)【要約】【課題】  試験を行う際に、被試験物を容易に取り付け及び取り外しができ、作業性を向上できる被試験物の保持装置を提供することを目的とする。【解決手段】  第一保持具１４及び第二保持具１６を被試験物Ｑに対して圧接させたり離間させたりする可動機構を備え、可動機構は、第一保持具１６に対して回動自在に係合する回転軸１８と、回転軸１８に偏心して一体に設けられ、回転軸１８の軸方向に沿って回転軸１８の端部より外方へ延出する偏心軸１９と、回転軸１８に係合し、回転軸１８を回動させるハンドル２０と、一端が第二保持具１６に固定されると共に他端が偏心軸１９に固定された連結具２１とを備え、第一保持具１４には、被試験物の当接部と回転軸との中間に配設されて側方に突出するピン２２が備えられ、連結具２１には、ピン２２がスライド自在に係合する長孔２３が備えられている。【選択図】  図３
2006125908.tif 000002
【特許請求の範囲】
【請求項１】
被試験物の一方の面に当接する第一保持具、前記被試験物を介して前記第一保持具とは反対側に備えられた第二保持具、該第二保持具を前記被試験物に対して圧接させたり離間させたりする可動機構とを備え、前記第一保持具と前記第二保持具によって前記被試験物を挟着して保持する被試験物の保持装置であって、
前記可動機構は、
前記第一保持具から前記第二保持具に向かう圧接方向に対して軸方向が直交して配設され、前記第一保持具に対して回動自在に係合する回転軸と、
前記回転軸に偏心して一体に設けられ、該回転軸の軸方向に沿って該回転軸の端部より外方へ延出する偏心軸と、
前記回転軸に係合し、該回転軸を回動させるハンドルと、
一端が前記第二保持具に固定されると共に他端が前記偏心軸に固定された連結具と、
を備え、
前記第一保持具には、前記被試験物の当接部と前記回転軸との中間に、前記圧接方向に対して軸方向が直交して該第一保持具の側方に突出するピンが備えられ、
前記連結具には、前記ピンが前記第一保持具から前記第二保持具に向かってスライド自在に係合するスライド部が備えられている、
ことを特徴とする被試験物の保持装置。
【請求項２】
前記第二保持具を介して前記第一保持具とは反対側に、前記第二保持具に連結して該第二保持具と前記第一保持具との距離を可変する可変機構が備えられている、
ことを特徴とする請求項１に記載の被試験物の保持装置。
【請求項３】
前記ハンドルの回動動作に伴って、前記第二保持具が前記被試験物に圧接する圧接位置、及び該第二保持具が前記被試験物から最も離間する離間位置において、前記第二保持具と前記ピン及び前記偏心軸とが略直線上に配設されている、
ことを特徴とする請求項１又は請求項２に記載の被試験物の保持装置。
【請求項４】
前記回転軸の回転を係止する係止手段を備えている、ことを特徴とする請求項１乃至請求項３の何れか記載の被試験物の保持装置。
【請求項５】
被試験物の一端を支持する支持部と、
前記被試験物の他端に荷重を付与する荷重計と、
を備えた荷重試験機であって、
請求項１乃至請求項４の何れか記載の被試験物の保持装置を備え、前記被試験物を、該保持装置を介して、前記支持部又は前記荷重計に固定するように構成されている、
ことを特徴とする荷重試験機。
【発明の詳細な説明】
【技術分野】
【０００１】
本発明は、被試験物に所定の荷重を加え、荷重と変位とが関連付けられた荷重変位特性や被試験物の破断強度などを計測する荷重試験機に関する。
【背景技術】
【０００２】
従来、被試験物の機械的強度や弾性力等の物性を評価するために、被試験物に所定の荷重及び変位を加え、その荷重と変位とを関連付けて、荷重変位特性を求める試験が行われている。
【０００３】
被試験物に荷重及び変位を加える荷重計として、一般に、被試験物を保持する端子を備え、端子を介して伝達された荷重を、ロードセンサを介して検出して表示するものがある。また、この際、被試験物の一端をテーブルに接続すると共に被試験物の他端を荷重計の端子に接続し、荷重計を被試験物の変位方向に沿ってスライドさせることにより被試験物に荷重と変位を加え、荷重計のスライド移動量から被試験物の変位を検出し、荷重と変位とを関連付けて計測できるように構成された荷重試験機がある（例えば、特許文献１参照）。
【０００４】
また、被試験物を荷重計の端子又はテーブルに接続するために、被試験物を挟んで一対の保持具を配設し、一対の保持具を互いにネジ締めして一対の保持具で被試験物を保持し、保持具を介して、被試験物を荷重試験機に取り付けるように構成された荷重試験機がある（例えば、特許文献２参照）。
【特許文献１】特開平７-４５６６１号公報
【特許文献２】特開平６-３２３４号公報
【発明の開示】
【発明が解決しようとする課題】
【０００５】
従来例のように構成された被試験物の保持装置によれば、被試験物を荷重試験機に設置する際に、被試験物を一対に保持具にネジ締めする構成にしているので、試験を行う毎に、一対の保持具のネジ締め又はネジを緩める作業が必要になり、その作業がオペレータにとって煩雑であって、被試験物を保持具に固定する際の作業性を改善する余地があった。
【０００６】
そこで、本発明は、試験を行う際に、荷重試験機に被試験物を容易に取り付け及び取り外しができて、作業性を向上できる被試験物の保持装置を提供することを目的とする。
【課題を解決するための手段】
【０００７】
かかる目的を達成するためになされた請求項１に記載の発明は、被試験物の一方の面に当接する第一保持具、前記被試験物を介して前記第一保持具とは反対側に備えられた第二保持具、該第二保持具を前記被試験物に対して圧接させたり離間させたりする可動機構とを備え、前記第一保持具と前記第二保持具によって前記被試験物を挟着して保持する被試験物の保持装置であって、前記可動機構は、前記第一保持具から前記第二保持具に向かう圧接方向に対して軸方向が直交して配設され、前記第一保持具に対して回動自在に係合する回転軸と、前記回転軸に偏心して一体に設けられ、該回転軸の軸方向に沿って該回転軸の端部より外方へ延出する偏心軸と、前記回転軸に係合し、該回転軸を回動させるハンドルと、一端が前記第二保持具に固定されると共に他端が前記偏心軸に固定された連結具と、を備え、前記第一保持具には、前記被試験物の当接部と前記回転軸との中間に、前記圧接方向に対して軸方向が直交して該第一保持具の側方に突出するピンが備えられ、前記連結具には、前記ピンが前記第一保持具から前記第二保持具に向かってスライド自在に係合するスライド部が備えられていることを特徴とする。
【０００８】
請求項１に記載の被試験物の保持装置によれば、可動機構は、第一保持具から第二保持具に向かう方向に対して軸方向が直交して配設され、第二保持具に対して回動自在に係合する回転軸と、回転軸に偏心して一体に設けられ、回転軸の軸方向に沿って回転軸の端部より外方へ延出する偏心軸と、回転軸に係合し、回転軸を回動させるハンドルと、一端が第二保持具に固定されると共に他端が偏心軸に固定された連結具と、を備え、第一保持具には、被試験物の当接部と回転軸との中間に、第一保持具から第二保持具に向かう方向に対して軸方向が直交して第一の保持具の側方に突出するピンが備えられ、連結具には、ピンが第一保持具から第二保持具に向かってスライド自在に係合するスライド部が備えられているので、ハンドルの回動動作に伴って、スライド部とピンとが互いにスライドしながら偏心軸が第一保持具に対して偏心動作し、連結具を介して第二保持具が被試験物に圧接したり離間したりする動作が得られ、容易に被試験物を保持したり外したりでき、作業性が優れたものとなる。
【０００９】
次に、請求項１に記載の被試験物の保持装置は、請求項２に記載の発明のように、前記第二保持具を介して前記第一保持具とは反対側に、前記第二保持具に連結して該第二保持具と第一保持具との距離を可変する可変機構が備えられていることにより、被試験物を保持する際に、その保持力を被試験物の種類や厚みの変化に応じて調整でき、所望の保持力を得ることができる。
【００１０】
次に、請求項１又は請求項２に記載の被試験物の保持装置は、請求項３に記載の発明のように、前記ハンドル回動動作伴って、前記第二保持具が被試験物に圧接する圧接位置、及び該第二保持具が被試験物から最も離間する離間位置において、前記第二保持具と前記ピン及び前記偏心軸とが略直線上に配設されていることにより、ハンドルの回動に抗する回動抵抗が圧接位置において最も強く発現し、被試験物の圧接位置でハンドルを安定して維持でき、操作性に優れたものとなる。
【００１１】
次に、請求項１乃至請求項３の何れか記載の被試験物の保持装置は、請求項４に記載の発明のように、前記回転軸の回転を係止する係止手段を備えていることにより、第二保持具を被試験物の圧接位置や離間位置など所定の位置で確実に係止できる。
【００１２】
次に、請求項５に記載の発明は、被試験物の一端を支持する支持部と、前記被試験物の他端に荷重を付与する荷重計と、を備えた荷重試験機であって、請求項１乃至請求項４の何れか記載の保持装置を備え、前記被試験物を、該保持装置を介して、前記支持部又は前記荷重計に固定するように構成されている、ことを特徴とする。
【００１３】
請求項５に記載の荷重試験機によれば、被試験物を容易に取り付け及び取り外しができる保持装置を備えているので、試験を行う際の作業性を良好に得ることができる。
【発明の効果】
【００１４】
本発明の被試験物の保持装置によれば、ハンドルの回動動作に伴って、スライド部とピンとが互いにスライドしながら偏心軸が第一保持具に対して偏心動作し、連結具を介して第二保持具が被試験物に圧接したり離間したりする動作が得られ、容易に被試験物を保持したり外したりでき、作業性が優れたものとなる。また、本発明の被試験物の保持装置によれば、前記第二保持具に連結して該第二保持具と第一保持具との距離を可変する可変機構が備えられているので、被試験物を保持する際に、その保持力を被試験物の種類や厚みの変化に応じて調整できて所望の保持力を得ることができ、且つ、第二保持具を被試験物の圧接位置や離間位置など所定の位置で確実に係止できる。
【発明を実施するための最良の形態】
【００１５】
次に、本発明の被試験物の保持装置及びそれを備えた荷重試験機の、一実施例を図面にもとづいて説明する。図１は、本発明の一実施例の保持装置を備えた荷重試験機の外観図、図２は、同実施例の荷重試験機の制御系を表すブロック図、図３は、同実施例の保持装置の外観を表す図であって、（ａ）は正面図、（ｂ）は（ａ）中の矢印Ｘ方向から表した側面図、（ｃ）は（ａ）中のＰ部詳細図であるである。また、図４は、同実施例の保持装置の一部を拡大して表わした詳細図、図５は、同実施例の保持装置の動作を説明する説明図である。
【００１６】
図１に表したように、荷重試験機１は、長尺状の薄膜である被試験物Ｑに引張荷重を加え、その荷重を計測する荷重計２、被試験物Ｐの上下両端を保持する第一、第二の保持装置１２、１３を備えた保持装置４、荷重計２と被試験物Ｑとの相対距離を変化させるスライド機構を備えた移動装置３、制御装置８の上面に設けられたテーブル３ｄ、オペレータの操作に基づいて移動装置３及び荷重計２を作動させる制御装置５、制御装置５とパーソナルコンピュータ（図示せず）間のデータ通信を行うためのインタフェース接続ケーブル１１、等を備えている。
【００１７】
荷重計２は、電源キー２ａ、計測結果を表示する液晶ディスプレイ２ｂ、計測値をゼロに校正するゼロ点校正キー２ｓ、連続して読み取った荷重のピ−ク値の出力を指令するピーク出力キー２ｄ、荷重の単位を（例えばＫｇｆやＮなど）切り換える単位切換キー２ｅ、被試験物Ｑに張力又は押圧力を加える端子２ｆ等を備えている。また、荷重計２には、前述の各キーからの指令信号に基づいて計測動作を制御する駆動回路（図２中の符号２ｇ）が内蔵され、荷重計２と制御装置５とが通信用ケーブル（図示せず）で接続されている。
【００１８】
次に、移動装置３は、制御装置５に直立して設けられた支柱３ｆ、軸受け３ｃ、軸受け３ｃを介して回転自在に支持され、外周に沿って螺旋状のネジが形成されたスクリュー３ａ、スクリュー３ａに雌ネジ（図示せず）を介して羅合し、スクリュー３ａの回転動作に伴ってスクリュー３ａの軸方向に沿ってスライドすると共に荷重計２を固定するホルダー３ｇ、等を備えている。
【００１９】
また、スクリュー３ａは、一端が軸受け３ｃに回動自在に接続され、他端が、カップリング（図示せず）を介して、制御装置５の内部に備えたモータの回転軸に接続されている。そして、移動装置３は、モータの回転動作を、スクリュー３ａ及びホルダー３ｇを介して、荷重計２を上下にスライドする直線運動に変換するように構成されている。
【００２０】
次に、制御装置５は、オペレータが荷重計２の計測動作及びスライド動作を操作するための操作パネル８を備えている。操作パネル８は、荷重計２のスライド速度を設定する速度設定ツマミ８ｂ、８ｃ、荷重計２のスライド方向を上方（矢印Ｕ方向）に指令する方向指令キー８ｄ、荷重計のスライド方向を下方（矢印Ｄ方向）に指令する方向指令キー８ｅ、各種計測動作モードを設定する計測モード選択キー８ｆ、計測動作モードにおける動作速度や変位量、荷重などを設定する液晶ディスプレイ８ｋ及び数値入力キー８ｍ、８ｎ、設定された計測モードに基づいて計測動作の開始を指令するスタートキー８ｐ、計測動作の停止を指令するストップキー８ｈ、等が備えられている。
【００２１】
次に、図２に表したように、荷重試験機１は、移動装置３及び荷重計２の動作を制御する制御系１００を備えている。制御系１００は、ＣＰＵ５１、ＲＯＭ５２、ＲＡＭ５３を中心とするマイクロコンピュータとして構成され、操作パネル８から入力される指令信号に基づき、ＣＰＵ５１がＲＯＭ５２、ＲＡＭ５３等を使用して各機能の処理を実行する。
【００２２】
次に、制御系１００は、経過時間をカウントして経過時間を表す信号をＣＰＵ５１に出力する時間カウンター５９、ＣＰＵ５１からの出力信号に基づいてモータ５５に駆動信号を出力するモータ制御部５４、モータ制御部５４から入力された駆動信号に基づいて回転動作するモータ５５、モータ５５の回転力を直線運動に変換して荷重計３を図１中の矢印Ｕ及びＤ方向に移動させる移動装置３、等によって構成されている。
【００２３】
荷重計２は、被試験物に押圧力又は引張力を加え、その荷重をロードセル２ｄに伝達する端子２ｆ、端子２ｆを介して伝達された荷重に応じた電気信号を生成するロードセル２ｓ、ロードセル２ｓで生成された電気信号をデジタル信号に変換してＣＰＵ５１に出力する駆動回路２ｇ等を備えている。また、駆動回路２ｇは、前述の電源キー２ａ、ゼロ点校正キー２ｓ、ピーク出力キー２ｄ、単位切換キー２ｅ等から入力された指令信号、及びＣＰＵ５１から入力された指令信号に基づいて、荷重計２を制御する。
【００２４】
また、制御系１００は、ＣＰＵ５１と外部のパーソナルコンピュータとの間でデータをシリアルに送受信するＵＳＢインタフェース（所謂、Ｕｎｉｖｅｒｓａｌ  Ｓｅｒｉａｌ  Ｂｕｓ搭載機器に対して、データ通信を行うためのインタフェースである。）５６、例えばペンレコーダなどに、計測された荷重及び変位を電圧信号で出力するアナログ電圧出力部５７、荷重計２の所定のスライド位置で作動し、そのスライド動作を停止する停止信号をＣＰＵ５１に出力する上下一対のリミットスイッチ５８ａ、５８ｂ、オペレータが操作し指令信号をＣＰＵ５１に送るための操作パネル８等によって構成されている。
【００２５】
次に、図３に表したように、被試験物Ｑの保持装置１０は、被試験物Ｑの上端を保持すると共に孔１４ａを介して荷重計２の端子２ｆに接続される第一保持装置１２と、制御装置８上に固定されたテーブル３ｄに被試験物Ｑの下端を連結するための第二保持装置１３とを備えている。また、図４に表したように、第二保持装置１３には、上方に延出する一対の連結棒２９、３０が付設され、連結棒２９、３０の上端には小径部２９ａ、３０ａが付設されている。一方、第一保持装置１２の第一保持部１４には、小径部２９ａ、３０ａがスライド自在に嵌合する嵌合穴３１、３２が形成されている。
【００２６】
第一保持装置１２及び第二保持装置１３は、図３及び図５に表したように、被試験物Ｑの一方の面に当接する第一保持具１４及び１５、被試験物Ｑを介して第一保持具１４及び１５とは反対側に備えられた第二保持具１６及び１７、第二保持具１６及び１７を被試験物Ｑに対して圧接させたり離間させたりするハンドル２０等を備え、第一保持具１４、１５と第二保持具１６、１７との間に被試験物Ｑを挟着して保持するように構成されている。
【００２７】
また、図５に表したように、第一保持装置１２及び第二保持装置１３は、第一保持具１４、１５から第二保持具１６、１７に向かう圧接方向に対して軸方向が直交し、第一保持具１４、１５に形成された回転軸１８と、第一保持具１４、１５に貫通し回転軸１８が回動自在に係合される貫通孔１４ａ、１５ａと、回転軸１８に偏心して（回転軸１８の中心Ｕに対して偏心軸１９の中心が偏心している）一体に設けられ、回転軸１８の軸方向に沿って回転軸１８の端部から外方に延出する偏心軸１９と、回転軸１８に係合し回転軸１８を回動させるハンドル２０と、一端が第二保持具１６、１７に固定されると共に他端が偏心軸１９に固定された連結具２１とを備えている。
【００２８】
また、第一保持具１４、１５には、被試験物Ｑの当接部と回転軸１８との中間に配設されると共に第一保持具１４、１５から第二保持具１６、１７に向かう方向に対して軸方向が直交して配設され、第一の保持具１４、１５の側方に突出するピン２２が備えられている。また、連結具２１には、ピン２２が第一保持具１４、１５から第二保持具１６、１７に向かってスライド自在に係合する長孔（所謂、本発明のスライド部である）２１が備えられている。
【００２９】
次に、図３（ｃ）に表したように、第一保持具１４、１５にはスプリング２６の一端が固定され、スプリング２６の他端には球状の端子２７が固定されている。一方、ハンドル２０には、端子２７係合する一対の半球状の係合穴２８ａ、２８ｂが備えられている。そして、ハンドル２０の回動動作に伴って、係合穴２８ａ、２８ｂが端子２７に係合し、その回動動作に抗する荷重が発現し、ハンドル２０を所定の位置で安定して係止できるように構成されている。また、一対の係合穴２８ａ、２８ｂは、ハンドル２０の回転方向に沿って１８０°隔てて形成され、ハンドル２０の回動動作に伴って、第二保持具１６、１７が被試験物Ｑに圧接する圧接位置（図５（ｃ）の位置）、及び第二保持具１６、１７が被試験物Ｑから最も離間する離間位置（図５（ａ）の位置）において、夫々端子２７が係合するように構成されている。本発明の係止手段は、スプリング２６、球状の端子２７、係合穴２８ａ、２８ｂ、等によってその機能が発現される。
【００３０】
次に、図５に表したように、連結具２１は、一端側に、第二保持具が嵌合する嵌合孔２１ａが、第一保持具１４、１５に向かって長孔状に形成され、この嵌合孔２１ａに沿って第二保持具１６、１７が連結具２１に対してスライド自在に係合している。また、第二保持具１６、１７を介して第一保持具１４、１５とは反対側に、頂部が第二保持具１６、１７に当接するボルト２４が備えられ、このボルト２４は連結具２１の一端に固定されたナット２５に羅合している。そして、ボルト２４を時計回りに回転すると、ボルトの頂部が第二保持部を押して、第二保持部１６、１７を第一保持具１４、１５に近接させ、ボルト２４を反時計回りに回転させると、ボルト２４の頂部が第二保持部１６、１７から離間し、第二保持部１６、１７を第一保持具１４、１５から離間できるように構成されている。本発明の可変機構は、ボルト２４、ナット２５、連結具２１に備えた嵌合孔２１ａ、嵌合孔２１ａに嵌合する第二保持具１６、１７の軸部、等によって構成される。
【００３１】
また、図３（ｃ）に表したように、連結具２１を貫通し先端が第二保持具１６、１７に当接するボルト４４と、連結具２１に固定されボルト４４が羅合するナット４５とが設けられており、ボルト４４を締め付けることによって第二保持部１６、１７を連結具２１に固定できるように構成されている。
【００３２】
次に、図５（ａ）〜（ｃ）に基づいて、保持装置１０の、被試験物Ｑを保持する際の動作を説明する。図５（ａ）は、第二保持具１６、１７が第一保持装置１４、１５及び被試験物Ｑから最も離間した離間位置を表し、図５（ｃ）は、第二保持具１６、１７が第一保持具１４、１５に最も近接し被試験物Ｑを圧接する圧接位置を表し、図５（ｂ）は、離間位置と圧接位置の中間位置を表している。また、図５（ｃ）及び図５（ａ）に表したように、圧接位置及び離間位置において、第二保持具１６、１７、ピン２２、偏心軸１９等が略直線上に配設されている。
【００３３】
まず、被試験物は、図５（ａ）の離間位置において、第一保持装置１４及び第二保持装置１５の上面に両端が載置される。この際、偏心軸１９が最も第二保持具１６、１７よりに位置して第一保持具１４、１５と第二保持具１６、１７との距離Ｓ１が最も離間した位置であって、ハンドル１０に備えた係合穴（図３中の符号２８ａ）にスプリング（図３（ｃ）中の符号２６）先端の端子（図３中の符号２７）が係合し、ハンドル２０の回動に抗する回動抵抗が発現している。
【００３４】
次いで、ハンドル２０に前記の回動抵抗を超える回動力を加え、ハンドル２０を（ａ）から（ｃ）に、反時計回り（図中のＬ方向）に回動させると、端子２７が係合穴２８ａから離脱し、回転軸１８が貫通孔１４ａ、１５ａに沿ってハンドル２０と共に回転して、偏心軸１９が第一保持具１４、１５に対して偏心運動する。また、この際、連結具２１に備えた長孔２３と第一保持具１４、１５に備えたピン２２とが互いにスライドして連結具２１はピン２２を支点として傾動し、第一保持具１４、１５と第二保持具１６、１７との距離がＳ１、Ｓ２、Ｓ３の順に徐々に小さくなるように変化する。そして、ハンドルを（ａ）の離間位置から略１８０度回転させた（ｃ）の位置で、第二保持具１６、１７と第一保持具１４、１５との距離が最も近接し、ハンドル１０に備えた係合穴（図３中の符号２８ｂ）にスプリング（図３（ｃ）中の符号２６）先端の端子（図３中の符号２７）が係合し、ハンドル２０の回動に抗する回動抵抗が発現すると共に、被試験物Ｑが第一保持具１４、１５と第二保持具１６、１７とに圧接されて保持される。
【００３５】
さらに、圧接位置（ｃ）で、所望の圧接力を得るために、ボルト２４を回転させ、第二保持具１６、１７と第一保持具１４、１５との距離を微調整してもよい。
【００３６】
また、圧接位置（ｃ）に設置された被試験物Ｑを保持装置１０から取り外す際には、ハンドル２０に前記の回動抵抗を超える回動力を加え、ハンドル２０を（ｃ）から（ａ）に向かって、時計回り又は反時計回りに回動させ、圧接位置（ｃ）から略１８０度回転させた離間位置（ａ）の位置で、ハンドル１０に備えた係合穴（図３中の符号２８ａ）にスプリング先端の端子（図３中の符号２７）を係合させてハンドル２０を係止し、次いで、被試験物Ｑを保持装置１０から抜き取ればよい。
【００３７】
以下に、前記の構成を有する実施例に被試験物の保持装置１０及び荷重試験機１の作用効果を記載する。
【００３８】
本実施例に記載の被試験物Ｑの保持装置１０によれば、第一保持具１４、１５及び第二保持具１６、１７を被試験物Ｑに対して圧接させたり離間させたりする可動機構を備え、可動機構は、第一保持具１４、１５に対して回動自在に係合する回転軸１８と、回転軸１８に偏心して一体に設けられ、回転軸１８の軸方向に沿って回転軸１８の端部より外方へ延出する偏心軸１９と、回転軸１８に係合し、回転軸１８を回動させるハンドル２０と、一端が第二保持具１６に固定されると共に他端が偏心軸１９に固定された連結具２１とを備え、第一保持具１４には、被試験物の当接部と回転軸との中間に配設されて側方に突出するピン２２が備えられ、連結具２１には、ピン２２がスライド自在に係合する長孔２３が備えられているので、ハンドル２０の回動動作に伴って、長孔２３とピン２２とが互いにスライドしながら偏心軸１９が第一保持具１４に対して偏心動作し、連結具２１を介して第二保持具１６が被試験物Ｑに圧接したり離間したりする動作が得られ、容易に被試験物Ｑを保持したり外したりでき、作業性が優れたものとなる。
【００３９】
また、本実施例に記載の被試験物の保持装置１０によれば、第二保持具１６、１７を介して第一保持具１４、１５とは反対側に、第二保持具１６、１７に連結して第二保持具１６、１７と第一保持具１４、１５との距離を可変するボルト２４及びナット２５が備えられているので、被試験物Ｑを保持する際に、その保持力を被試験物Ｑの種類や厚みの変化に応じて調整でき、所望の保持力を得ることができる。
【００４０】
また、本実施例に記載の被試験物の保持装置１０によれば、ハンドル２０の回動動作に伴って、第二保持具１６、１７が被試験物Ｑに圧接する圧接位置、及び第二保持具が被試験物Ｑから最も離間する離間位置において、第二保持具１６、１７とピン２２及び偏心軸１９とが略直線上に配設されているので、圧接位置において、ハンドル２０の回動に抗する回動抵抗を最も強く発現でき、被試験物Ｑを確実に保持できると共に、操作性に優れたものとなる。
【００４１】
また、本実施例に記載の荷重試験機１によれば、被試験物Ｑを容易に取り付け及び取り外しができる保持装置１０を備えているので、試験を行う際の作業性を良好に得ることができる。
【００４２】
以上、本発明の一実施例について説明したが、本発明は、前記実施例に限定されるものでなく、種各の態様を取ることができる。例えば、本実施例において、円形状のハンドル２０を用いたが、円形状のハンドル２０の代わりにレバーを用いてもよい。
【図面の簡単な説明】
【００４３】
【図１】本発明の一実施例の保持装置を備えた荷重試験機の外観図である。
【図２】同実施例における、荷重試験機の制御系を表すブロック図である。
【図３】同実施例における保持装置の外観を表す図であって、（ａ）は正面図、（ｂ）は（ａ）中の矢印Ｘ方向から表した側面図、（ｃ）は（ａ）中のＰ部詳細図である。
【図４】同実施例における保持装置の一部を拡大して表わした詳細図である。
【図５】同実施例の保持装置の動作を説明する説明図である。
【符号の説明】
【００４４】
１…荷重試験機、２…荷重計、２ａ…電源キー、２ｂ…液晶表示部、２ｄ…ピーク出力キー、２ｅ…測定単位切換キー、２ｆ…端子、２ｓ…ロードセル、３…移動装置、３ａ…スクリュー、３ｃ…軸受け、３ｄ…テーブル、３ｇ…ホルダー、５…制御装置、８…操作パネル、１０…保持装置、１１…インタフェース接続ケーブル、１２…第一保持装置、１３…第二保持装置、１４，１５…第一保持具、１４ａ…貫通孔、１６，１７…第二保持具、１８…回転軸、１９…偏心軸、２０…ハンドル、２１…連結具、２２…ピン、２３…長孔、２４，４４…ボルト、２５，４５…ナット、２６…スプリング、２７…球状端子、２８ａ，２８ｂ…係合孔、２９，３０…連結棒、２９ａ，３０ａ…小径部、３１，３２…連結棒係合孔、３３…第二保持具嵌合孔、５１…ＣＰＵ、５２…ＲＯＭ、５３…ＲＡＭ、５４…モータ制御部、５５…モータ、５６…ＵＳＢインタフェース、５７…アナログ電圧出力部、５８…リミットスイッチ、５９…時間カウンター。
【図１】
2006125908.tif 000003
【図２】
2006125908.tif 000004
【図３】
2006125908.tif 000005
【図４】
2006125908.tif 000006
【図５】
2006125908.tif 000007